(57)【要約】【課題】γ補正が可能でありかつ回路面積および消費電流を低減できる信号線駆動回路を提供する。【解決手段】信号線駆動回路１では、階調値が同じ「２」であっても、Ｒの画素ＧＲ１は電圧ＶＰｒ２に応じた明るさとし、Ｇの画素ＧＧ１は電圧ＶＰｇ２（＜ＶＰｒ２）に応じた明るさとし、Ｂの画素ＧＢ１は電圧ＶＰｂ２（＜ＶＰｇ２）に応じた明るさとする、つまりＲＧＢ独立にγ補正を行うことができる。しかも、そのための抵抗の必要数が１であるから、回路面積および抵抗での消費電流を低減することができる。また、階調電圧線の必要数を１／３、例えば１９２本から６４本にできるから、回路面積を低減することができる。【選択図】図１
2008003518.tif 000002
【特許請求の範囲】
【請求項１】
Ｒ、ＧおよびＢの画素を１づつ行方向に並べたものがマトリクス状に配置され、列方向で１列に並ぶＲの画素による列に接続された信号線が列数分形成され、列方向で１列に並ぶＧの画素による列に接続された信号線が列数分形成され、列方向で１列に並ぶＢの画素による列に接続された信号線が列数分形成され、各画素が該画素に接続された信号線の電圧に応じた明るさになるように構成された基板に構成され、
当該基板に入力される階調値のとりうる複数の値のそれぞれに対応する階調電圧線と、
１つの階調値と１つの色による組のそれぞれについての電圧が設定された第１の回路と、
画素の色でタイミングを変えて明るさを順次に設定するときの各設定タイミングにおいて、前記各階調電圧線に対し、対応する階調値と当該設定タイミングにおいて明るさを設定される画素の色の組についての電圧が設定された回路節点を接続する第２の回路と、
前記各設定タイミングにおいて、当該設定タイミングで明るさを設定される画素に接続された信号線に対し、当該設定タイミングで当該画素の明るさを設定するための階調値に対応する階調電圧線を接続する第３の回路と
を備えたことを特徴とする信号線駆動回路。
【請求項２】
第１の回路は、Ｒ、ＧおよびＢに共通な抵抗素子に電圧が印加されたときの抵抗値の分割点の電圧が、階調値と色の組についての電圧となっている回路である
ことを特徴とする請求項１記載の信号線駆動回路。
【請求項３】
第２の回路は、
各階調電圧線につき、対応する階調値とＲの色の組についての電圧が設定された回路節点と階調電圧線との間のスイッチ、当該階調値とＧの色の組についての電圧が設定された回路節点と階調電圧線との間のスイッチ、ならびに、当該階調値とＢの色の組についての電圧が設定された回路節点と階調電圧線との間のスイッチを備え、
画素の色でタイミングを変えて明るさを順次に設定するときの各設定タイミングにおいて、各階調電圧線につき、対応する階調値ならびに当該設定タイミングで明るさを設定される画素の色の組についての電圧が設定された回路節点と階調電圧線との間のスイッチをオンする
ことを特徴とする請求項１または２記載の信号線駆動回路。
【請求項４】
第３の回路は、
Ｒの画素の１列、Ｇの画素の１列およびＢの画素の１列からなる画素群のそれぞれにつき、画素群内の画素へ明るさを設定するための共通の回路節点とＲの列に接続された信号線との間のスイッチ、当該共通の回路節点とＧの列に接続された信号線との間のスイッチ、ならびに、当該共通の回路節点とＢの列に接続された信号線との間のスイッチを備え、
さらに、１つの前記共通の回路節点と１つの階調電圧線の組のそれぞれにつき、共通の回路節点と階調電圧線との間のスイッチを備え、
画素の色でタイミングを変えて明るさを順次に設定するときの各設定タイミングにおいて、画素群のそれぞれにつき、画素群内の画素へ明るさを設定するための共通の回路節点と当該設定タイミングで明るさを設定される画素に接続された信号線との間のスイッチをオンし、
当該各設定タイミングにおいて、前記共通の回路節点のそれぞれにつき、共通の回路節点により当該設定タイミングで明るさを設定される画素へ明るさを設定するための階調値に対応する階調電圧線と当該共通の回路節点との間のスイッチをオンする
ことを特徴とする請求項１ないし３のいずれかに記載の信号線駆動回路。
【請求項５】
第３の回路は、
Ｒの画素の１列、Ｇの画素の１列およびＢの画素の１列からなる画素群のそれぞれにつき、画素群内の画素へ明るさを設定するための共通の回路節点とＲの列に接続された信号線との間のスイッチ、当該共通の回路節点とＧの列に接続された信号線との間のスイッチ、ならびに、当該共通の回路節点とＢの列に接続された信号線との間のスイッチを備え、
さらに、隣り合う２つの画素群の組のそれぞれにつき、組内の画素へ明るさを設定するための共通の回路節点と一方の画素群内の画素へ明るさを設定するための共通の回路節点との間のスイッチ、ならびに、組内の画素へ明るさを設定するための当該共通の回路節点と他方の画素群内の画素へ明るさを設定するための共通の回路節点との間のスイッチを備え、
さらに、隣り合う２つの画素群の組内の画素へ明るさを設定するための共通の回路節点の１つと１つの階調電圧線との組のそれぞれにつき、共通の回路節点と階調電圧線との間のスイッチを備え、
画素の色ならびに隣り合う２つの画素群の一方と他方とでタイミングを変えて明るさを順次に設定するときの各設定タイミングにおいて、画素群内の画素へ明るさを設定するための共通の回路節点のそれぞれにつき、共通の回路節点と当該設定タイミングで明るさを設定される画素の色と同じ色の画素に接続された信号線との間のスイッチをオンし、
当該各設定タイミングにおいて、当該設定タイミングで明るさを設定される画素を含む画素群内の画素へ明るさを設定するための共通の回路節点と当該画素群を含む組内の画素へ明るさを設定するための共通の回路節点と間のスイッチをオンし、
当該各設定タイミングにおいて、当該設定タイミングで明るさを設定される画素を含む画素群の組内の画素へ明るさを設定するための共通の回路節点と当該設定タイミングで明るさを設定される画素へ明るさを設定するための階調値に対応する階調電圧線との間のスイッチをオンする
ことを特徴とする請求項１ないし３のいずれかに記載の信号線駆動回路。
【請求項６】
共通の回路節点と階調電圧線との間のスイッチは、複数のスイッチを直列接続したものであり、当該複数のスイッチへの制御信号の電圧の高低による組み合わせが、対応する階調値に応じたものとなったときに当該複数のスイッチの全てがオンする
ことを特徴とする請求項４または５記載の信号線駆動回路。
【請求項７】
階調電圧線と信号線の間にアンプを備えた
ことを特徴とする請求項１ないし６のいずれかに記載の信号線駆動回路。
【発明の詳細な説明】
【技術分野】
【０００１】
本発明は、γ補正が可能でありかつ回路面積を低減できる信号線駆動回路に関する。
【背景技術】
【０００２】
液晶表示装置または自己発光素子を用いた表示装置などでは、画素に印加する電圧に対する光強度が非線形であったり、光強度に対する視感度が非線形であるため、γ補正が必要となる。
【０００３】
また、カラーの表示装置の場合、中間調の色調を調整するために、γ補正が必要となる場合がある。
【０００４】
また、カラーの液晶表示装置では、液晶材料を通過する光量が、色ごとにつまり波長により異なるので、γ補正が必要となることが多い。
【０００５】
図３は、従来の液晶表示装置に構成された信号線駆動回路の回路図である。
【０００６】
この信号線駆動回路（以下、従来回路という）は、アクティブマトリクス型液晶パネルの基板上に構成される。基板には、赤（Ｒという）の画素、緑（Ｇという）の画素および青（Ｇという）の画素を１づつ同一方向（行方向）に並べたものがマトリクス状に配置される。
【０００７】
また、基板には、行方向に直交する列方向に並ぶＲの画素からなる列に接続された信号線がＲの列数分平行に形成される。また、基板には、列方向に並ぶＧの画素からなる列に接続された信号線がＧの列数分平行に形成される。また、基板には、列方向に一列で並ぶＢの画素からなる列に接続された信号線がＢの列数分平行に形成される。また、各画素は当該画素に接続された信号線の電圧に応じた明るさになるように構成される。
【０００８】
従来回路は、Ｒの画素の明るさを設定するために入力される階調値のとりうる６４の値のそれぞれに対して予め設定された階調電圧が印加される階調電圧線Ｒ１、Ｒ２、Ｒ３、…、Ｒ６４を備える。
【０００９】
また、Ｇの画素の明るさを設定するために入力される階調値のとりうる６４の値のそれぞれに対して予め設定された階調電圧が印加される階調電圧線Ｇ１、Ｇ２、Ｇ３、…、Ｇ６４を備える。
【００１０】
また、Ｂの画素の明るさを設定するために入力される階調値のとりうる６４の値のそれぞれに対して予め設定された階調電圧が印加される階調電圧線Ｂ１、Ｂ２、Ｂ３、…、Ｂ６４を備える。
【００１１】
従来回路は、抵抗素子Ｒｒを備え、その一方端の回路節点Ｐｒ１には、Ｒ、ＧおよびＢの画素を最も明るくするときの電圧Ｖ１が印加され、回路節点Ｐｒ１は、階調電圧線Ｒ１に接続されている。
【００１２】
抵抗素子Ｒｒの他方端の回路節点Ｐｒ６４には、Ｒ、ＧおよびＢの画素を最も暗くするときの電圧Ｖ２（＜Ｖ１）が印加され、回路節点Ｐｒ６４は、階調電圧線Ｒ６４に接続されている。
【００１３】
また、従来回路は、抵抗素子Ｒｇを備え、その一方端の回路節点Ｐｇ１には、Ｒ、ＧおよびＢの画素を最も明るくするときの電圧Ｖ１が印加され、回路節点Ｐｇ１は、階調電圧線Ｇ１に接続されている。
【００１４】
抵抗素子Ｒｇの他方端の回路節点Ｐｇ６４には、Ｒ、ＧおよびＢの画素を最も暗くするときの電圧Ｖ２が印加され、回路節点Ｐｇ６４は、階調電圧線Ｇ６４に接続されている。
【００１５】
また、従来回路は、抵抗素子Ｒｂを備え、その一方端の回路節点Ｐｂ１には、Ｒ、ＧおよびＢの画素を最も明るくするときの電圧Ｖ１が印加され、回路節点Ｐｂ１は、階調電圧線Ｂ１に接続されている。
【００１６】
抵抗素子Ｒｂの他方端の回路節点Ｐｂ６４には、Ｒ、ＧおよびＢの画素を最も暗くするときの電圧Ｖ２が印加され、回路節点Ｐｂ６４は、階調電圧線Ｂ６４に接続されている。
【００１７】
また、抵抗素子Ｒｒでは、その抵抗値の分割点Ｐｒ２が階調電圧線Ｒ２に接続されている。また、抵抗素子Ｒｇでは、その抵抗値の分割点Ｐｇ２が階調電圧線Ｇ２に接続されている。また、抵抗素子Ｒｂでは、その抵抗値の分割点Ｐｂ２が階調電圧線Ｂ２に接続されている。
【００１８】
例えば、Ｒの画素の明るさを設定すべく階調値「２」が入力されたときに、その画素の明るさを、分割点Ｐｒ２の電圧ＶＰｒ２に応じたものとし、Ｇの画素の明るさを設定すべく階調値「２」が入力されたときに、その画素の明るさを、分割点Ｐｇ２の電圧ＶＰｇ２に応じたものとし、Ｇの画素の明るさを設定すべく階調値「２」が入力されたときに、その画素の明るさを、分割点Ｐｂ２の電圧ＶＰｂ２に応じたものとし、しかも、γ補正を行うべく、分割点Ｐｒ２、分割点Ｐｇ２および分割点Ｐｂ２は互いに異ならせて設定される。ここでは、回路節点Ｐ１の電圧Ｖ１＞分割点Ｐｒ２の電圧ＶＰｒ２＞分割点Ｐｇ２の電圧ＶＰｇ２＞分割点Ｐｂ２の電圧ＶＰｂ２となるように分割点が設けられている。なお、他の階調値についても分割点が設けられている。
【００１９】
（従来回路の動作）
従来回路は、ある行の中の、Ｒの画素（画素ＧＲ１という）の明るさを設定するための階調値が「２」であり、同じ行の、隣のＧの画素（画素ＧＧ１という）の明るさを設定するための階調値が「２」であり、同じ行の、隣のＢの画素（画素ＧＢ１という）の明るさを設定するための階調値が「２」であった場合、その行の画素の明るさを設定する際には、以下のように動作する。
【００２０】
まず、画素ＧＲ１に接続された信号線に階調電圧線Ｒ２の電圧ＶＰｒ２が印加され、画素ＧＲ１が電圧ＶＰｒ２に応じた明るさとなる。同じ行における他のＲの画素でも同様に明るさが設定される。
【００２１】
次に、画素ＧＧ１に接続された信号線に階調電圧線Ｇ２の電圧ＶＰｇ２（＜ＶＰｒ２）が印加され、画素ＧＧ１が電圧ＶＰｇ２に応じた明るさとなる。同じ行における他のＧの画素でも同様に明るさが設定される。
【００２２】
次に、画素ＧＢ１に接続された信号線に階調電圧線Ｂ２の電圧ＶＰｂ２（＜ＶＰｇ２）が印加され、画素ＧＢ１が電圧ＶＰｂ２に応じた明るさとなる。同じ行における他のＢの画素でも同様に明るさが設定される。
【００２３】
同様にして、異なるタイミングにおいて、他の行の画素の明るさが設定される。
【００２４】
従来回路では、階調値が同じ「２」であっても、Ｒの画素ＧＲ１は電圧ＶＰｒ２に応じた明るさとし、Ｇの画素ＧＧ１は電圧ＶＰｇ２（＜ＶＰｒ２）に応じた明るさとし、Ｂの画素ＧＢ１は電圧ＶＰｂ２（＜ＶＰｇ２）に応じた明るさとする、つまり、γ補正を行うことができる。
【特許文献１】特開２００４−２２６６２０号公報
【発明の開示】
【発明が解決しようとする課題】
【００２５】
しかしながら、そのための階調電圧線の必要数が１９２（＝６４×３）であるから、回路面積が大きくなってしまう。また、抵抗の必要数が３であるから、回路面積および抵抗での消費電流が大きくなってしまう。
【００２６】
本発明は、上記の課題に鑑みてなされたものであり、その目的とするところは、γ補正が可能でありかつ回路面積を低減できる信号線駆動回路を提供することにある。
【課題を解決するための手段】
【００２７】
上記の課題を解決するために、請求項１の信号線駆動回路は、Ｒ、ＧおよびＢの画素を１づつ行方向に並べたものがマトリクス状に配置され、列方向で１列に並ぶＲの画素による列に接続された信号線が列数分形成され、列方向で１列に並ぶＧの画素による列に接続された信号線が列数分形成され、列方向で１列に並ぶＢの画素による列に接続された信号線が列数分形成され、各画素が該画素に接続された信号線の電圧に応じた明るさになるように構成された基板に構成され、当該基板に入力される階調値のとりうる複数の値のそれぞれに対応する階調電圧線と、１つの階調値と１つの色による組のそれぞれについての電圧が設定された第１の回路と、画素の色でタイミングを変えて明るさを順次に設定するときの各設定タイミングにおいて、前記各階調電圧線に対し、対応する階調値と当該設定タイミングにおいて明るさを設定される画素の色の組についての電圧が設定された回路節点を接続する第２の回路と、前記各設定タイミングにおいて、当該設定タイミングで明るさを設定される画素に接続された信号線に対し、当該設定タイミングで当該画素の明るさを設定するための階調値に対応する階調電圧線を接続する第３の回路とを備えたことを特徴とする。
【００２８】
請求項１の信号線駆動回路によれば、階調値が同じ値であっても、Ｒ、ＧおよびＢの画素の明るさを変える、つまり、γ補正を行うことができる。しかも、階調電圧線の必要数が１／３であるから、回路面積を低減することができる。
【００２９】
請求項２の信号線駆動回路は、請求項１記載の信号線駆動回路において、第１の回路は、Ｒ、ＧおよびＢに共通な抵抗素子に電圧が印加されたときの抵抗値の分割点の電圧が、階調値と色の組についての電圧となっている回路であり、つまり、共通な抵抗素子に電圧を設定しているので、回路面積および抵抗での消費電流を低減することができる。
【００３０】
請求項３記載の信号線駆動回路は、請求項１または２記載の信号線駆動回路において、第２の回路は、各階調電圧線につき、対応する階調値とＲの色の組についての電圧が設定された回路節点と階調電圧線との間のスイッチ、当該階調値とＧの色の組についての電圧が設定された回路節点と階調電圧線との間のスイッチ、ならびに、当該階調値とＢの色の組についての電圧が設定された回路節点と階調電圧線との間のスイッチを備え、画素の色でタイミングを変えて明るさを順次に設定するときの各設定タイミングにおいて、各階調電圧線につき、対応する階調値ならびに当該設定タイミングで明るさを設定される画素の色の組についての電圧が設定された回路節点と階調電圧線との間のスイッチをオンすることで、回路節点と階調電圧線を接続するようにしている。
【００３１】
請求項４記載の信号線駆動回路は、請求項１ないし３のいずれかに記載の信号線駆動回路において、第３の回路は、Ｒの画素の１列、Ｇの画素の１列およびＢの画素の１列からなる画素群のそれぞれにつき、画素群内の画素へ明るさを設定するための共通の回路節点とＲの列に接続された信号線との間のスイッチ、当該共通の回路節点とＧの列に接続された信号線との間のスイッチ、ならびに、当該共通の回路節点とＢの列に接続された信号線との間のスイッチを備え、さらに、１つの前記共通の回路節点と１つの階調電圧線の組のそれぞれにつき、共通の回路節点と階調電圧線との間のスイッチを備え、画素の色でタイミングを変えて明るさを順次に設定するときの各設定タイミングにおいて、画素群のそれぞれにつき、画素群内の画素へ明るさを設定するための共通の回路節点と当該設定タイミングで明るさを設定される画素に接続された信号線との間のスイッチをオンし、当該各設定タイミングにおいて、前記共通の回路節点のそれぞれにつき、共通の回路節点により当該設定タイミングで明るさを設定される画素へ明るさを設定するための階調値に対応する階調電圧線と当該共通の回路節点との間のスイッチをオンすることで、階調電圧線と信号線を接続するようにしている。
【００３２】
請求項５記載の信号線駆動回路は、請求項１ないし３のいずれかに記載の信号線駆動回路において、第３の回路は、Ｒの画素の１列、Ｇの画素の１列およびＢの画素の１列からなる画素群のそれぞれにつき、画素群内の画素へ明るさを設定するための共通の回路節点とＲの列に接続された信号線との間のスイッチ、当該共通の回路節点とＧの列に接続された信号線との間のスイッチ、ならびに、当該共通の回路節点とＢの列に接続された信号線との間のスイッチを備え、さらに、隣り合う２つの画素群の組のそれぞれにつき、組内の画素へ明るさを設定するための共通の回路節点と一方の画素群内の画素へ明るさを設定するための共通の回路節点との間のスイッチ、ならびに、組内の画素へ明るさを設定するための当該共通の回路節点と他方の画素群内の画素へ明るさを設定するための共通の回路節点との間のスイッチを備え、さらに、隣り合う２つの画素群の組内の画素へ明るさを設定するための共通の回路節点の１つと１つの階調電圧線との組のそれぞれにつき、共通の回路節点と階調電圧線との間のスイッチを備え、画素の色ならびに隣り合う２つの画素群の一方と他方とでタイミングを変えて明るさを順次に設定するときの各設定タイミングにおいて、画素群内の画素へ明るさを設定するための共通の回路節点のそれぞれにつき、共通の回路節点と当該設定タイミングで明るさを設定される画素の色と同じ色の画素に接続された信号線との間のスイッチをオンし、当該各設定タイミングにおいて、当該設定タイミングで明るさを設定される画素を含む画素群内の画素へ明るさを設定するための共通の回路節点と当該画素群を含む組内の画素へ明るさを設定するための共通の回路節点と間のスイッチをオンし、当該各設定タイミングにおいて、当該設定タイミングで明るさを設定される画素を含む画素群の組内の画素へ明るさを設定するための共通の回路節点と当該設定タイミングで明るさを設定される画素へ明るさを設定するための階調値に対応する階調電圧線との間のスイッチをオンすることで、階調電圧線と信号線を接続するようにしている。
【００３３】
しかも、請求項２記載の信号線駆動回路に比べて、階調電圧線に接続されるスイッチとその周辺回路の数を半減できるので、回路面積をさらに低減することができ、消費電流も低減することができる。
【００３４】
請求項６記載の信号線駆動回路は、請求項４または５記載の信号線駆動回路において、共通の回路節点と階調電圧線との間のスイッチは、複数のスイッチを直列接続したものであり、当該複数のスイッチへの制御信号の電圧の高低による組み合わせが、対応する階調値に応じたものとなったときに当該複数のスイッチの全てがオンすることで、共通の回路節点と階調電圧線を接続するようにしている。
【００３５】
請求項７記載の信号線駆動回路は、請求項１ないし６のいずれかに記載の信号線駆動回路において、階調電圧線と信号線の間にアンプを備えたことで、第１の回路での消費電流を低減することができる。
【発明の効果】
【００３６】
本発明の信号線駆動回路によれば、γ補正が可能でありかつ回路面積を低減することができる。
【発明を実施するための最良の形態】
【００３７】
以下、本発明の実施の形態を図面を参照して説明する。
【００３８】
［第１の実施の形態］
図１は、本発明の第１の実施の形態に係る信号線駆動回路の回路図である。
【００３９】
本実施の形態の信号線駆動回路（以下、信号線駆動回路１という）は、アクティブマトリクス型液晶パネルの基板上に構成される。基板は、絶縁性を有するガラス基板などであり、赤（Ｒという）の画素、緑（Ｇという）の画素および青（Ｇという）の画素を１づつ同一方向（行方向）に並べたものがマトリクス状に配置される。
【００４０】
また、基板には、行方向に直交する列方向で１列に並ぶＲの画素による列に接続された信号線がＲの列数分平行に形成される。図１の信号線ＸＲ１、ＸＲ２は、一方の端の２本である。また、基板には、列方向で１列に並ぶＧの画素による列に接続された信号線がＧの列数分平行に形成される。図１の信号線ＸＧ１、ＸＧ２は、一方の端の２本であり、それぞれ信号線ＸＲ１、ＸＲ２の隣に配置される。また、基板には、列方向で１列に並ぶＢの画素による列に接続された信号線がＢの列数分平行に形成される。図１の信号線ＸＢ１、ＸＢ２は、一方の端の２本であり、それぞれ、信号線ＸＧ１、ＸＧ２の隣に配置される。また、各画素は当該画素に接続された信号線の電圧に応じた明るさになるように構成される。また、基板には、Ｒ、ＧおよびＢの画素の明るさを設定するために入力される６４階調の階調値に応じた電圧が印加される階調選択線Ｄ１、Ｄ２、…、Ｄ６が形成される。
【００４１】
信号線駆動回路１は、Ｒ、ＧおよびＢの画素の明るさを設定するために入力される階調値のとりうる６４の値のそれぞれに対して予め設定された階調電圧が印加される階調電圧線Ｋ１、Ｋ２、Ｋ３、…、Ｋ６４を備える。ここでは、Ｒ、ＧおよびＢの画素を最も明るくする階調値を「１」、最も暗くする階調値を「６４」、中間の明るさの階調値を「２」、…、「６３」とする。
【００４２】
次に、γ補正のための電圧が設定された第１の回路について説明する。
【００４３】
信号線駆動回路１は、抵抗素子Ｒを備え、その一方端の回路節点Ｐ１には、Ｒ、ＧおよびＢの画素を最も明るくするときの電圧Ｖ１が印加され、回路節点Ｐ１は、階調電圧線Ｋ１に接続されている。
【００４４】
抵抗素子Ｒの他方端の回路節点Ｐ６４には、Ｒ、ＧおよびＢの画素を最も暗くするときの電圧Ｖ２（＜Ｖ１）が印加され、回路節点Ｐ６４は、階調電圧線Ｋ６４に接続されている。
【００４５】
抵抗素子Ｒでは、その抵抗値の分割点Ｐｒ２、つまり、その電圧ＶＰｒ２が、Ｒの画素の明るさを設定すべく階調値「２」が入力されたときに階調電圧線Ｋ２に印加すべき電圧となるように、分割点Ｐｒ２が設けられている。
【００４６】
図２は、抵抗素子Ｒにおける分割点Ｐの定め方を示す図である。
【００４７】
抵抗素子Ｒにおける分割点Ｐと回路節点Ｐ１の間の抵抗値をＲｕとし、抵抗素子Ｒにおける分割点Ｐと回路節点Ｐ６４の間の抵抗値をＲｄとすると、抵抗素子Ｒを流れる電流ｉ＝（Ｖ１−Ｖ２）／（Ｒｕ＋Ｒｄ）である。また、分割点Ｐの電圧ＶＰ＝Ｖ１−Ｒｕ×ｉである。この式のｉに上記電流の式の右辺を代入すると、電圧ＶＰ＝（ＲｄＶ１＋ＲｕＶ２）／（Ｒｕ＋Ｒｄ）となる。よって、この式を満たす抵抗値Ｒｕおよび抵抗値Ｒｄが得られるように分割点Ｐを定めればよい。
【００４８】
図１に戻り、抵抗素子Ｒでは、その抵抗値の分割点Ｐｇ２、つまり、その電圧ＶＰｇ２が、Ｇの画素の明るさを設定すべく階調値「２」が入力されたときに階調電圧線Ｋ２に印加すべき電圧となるように、分割点Ｐｇ２が設けられている。
【００４９】
また、抵抗素子Ｒでは、その抵抗値の分割点Ｐｂ２、つまり、その電圧ＶＰｂ２が、Ｂの画素の明るさを設定すべく階調値「２」が入力されたときに階調電圧線Ｋ２に印加すべき電圧となるように、分割点Ｐｂ２が設けられている。
【００５０】
例えば、Ｒの画素の明るさを設定すべく階調値「２」が入力されたときに、その画素の明るさを、分割点Ｐｒ２の電圧ＶＰｒ２に応じたものとし、Ｇの画素の明るさを設定すべく階調値「２」が入力されたときに、その画素の明るさを、分割点Ｐｇ２の電圧ＶＰｇ２に応じたものとし、Ｇの画素の明るさを設定すべく階調値「２」が入力されたときに、その画素の明るさを、分割点Ｐｂ２の電圧ＶＰｂ２に応じたものとし、しかも、γ補正を行うべく、分割点Ｐｒ２、分割点Ｐｇ２および分割点Ｐｂ２は互いに異ならせて設定される。ここでは、回路節点Ｐ１の電圧Ｖ１＞分割点Ｐｒ２の電圧ＶＰｒ２＞分割点Ｐｇ２の電圧ＶＰｇ２＞分割点Ｐｂ２の電圧ＶＰｂ２となるように分割点が設けられている。
【００５１】
また、抵抗素子Ｒでは、その抵抗値の分割点Ｐｒ３、つまり、その電圧ＶＰｒ３が、Ｒの画素の明るさを設定すべく階調値「３」が入力されたときに階調電圧線Ｋ３に印加すべき電圧となるように、分割点Ｐｒ３が設けられている。
【００５２】
また、抵抗素子Ｒでは、その抵抗値の分割点Ｐｇ３、つまり、その電圧ＶＰｇ３が、Ｇの画素の明るさを設定すべく階調値「３」が入力されたときに階調電圧線Ｋ３に印加すべき電圧となるように、分割点Ｐｇ３が設けられている。
【００５３】
また、抵抗素子Ｒでは、その抵抗値の分割点Ｐｂ３、つまり、その電圧ＶＰｂ３が、Ｂの画素の明るさを設定すべく階調値「３」が入力されたときに階調電圧線Ｋ３に印加すべき電圧となるように、分割点Ｐｂ３が設けられている。
【００５４】
また、γ補正を行うべく、分割点Ｐｒ３、分割点Ｐｇ３および分割点Ｐｂ３は互いに異ならせて設定される。ここでは、分割点Ｐｂ２の電圧ＶＰｂ２＞分割点Ｐｒ３の電圧ＶＰｒ３＞分割点Ｐｇ３の電圧ＶＰｇ３＞分割点Ｐｂ３の電圧ＶＰｂ３となるように分割点が設けられている。
【００５５】
また、図示省略しているが、同様にして、他の中間の階調値「４」、…、「６３」についても分割点が設けられている。
【００５６】
さて、信号線駆動回路１では、Ｒの画素のへの明るさの設定時において高電圧に設定され、それ以外では低電圧に設定される選択信号ＳＲと、Ｒの画素への明るさの設定時に続くＧの画素のへの明るさの設定時において高電圧に設定され、それ以外では低電圧に設定される選択信号ＳＧと、Ｇの画素への明るさの設定時に続くＢの画素のへの明るさの設定時において高電圧に設定され、それ以外では低電圧に設定される選択信号ＳＢとが用いられる。
【００５７】
信号線駆動回路１は、選択信号ＳＲが入力されるインバータＩＶＲ１およびＩＶＲ２、選択信号ＳＧが入力されるインバータＩＶＧ１およびＩＶＧ２、選択信号ＳＢが入力されるインバータＩＶＢ１およびＩＶＢ２を備える。
【００５８】
次に、第１の回路の回路節点（分割点Ｐｒ２など）と階調電圧線を接続する第２の回路について説明する。
【００５９】
信号線駆動回路１では、Ｒの画素の明るさを設定すべく、中間の階調値「２」が入力され、その後、選択信号ＳＲが高電圧になり、インバータＩＶＲ１の出力が低電圧になったときにオンするスイッチＳＷｐｒ２が、分割点Ｐｒ２と階調電圧線Ｋ２との間に設けられている。スイッチＳＷｐｒ２は、Ｎ型薄膜トランジスタとＰ型薄膜トランジスタを組み合わせてなるものであり、後述のスイッチも同様に構成される。
【００６０】
また、Ｇの画素の明るさを設定すべく、中間の階調値「２」が入力され、その後、選択信号ＳＧが高電圧になり、インバータＩＶＧ１の出力が低電圧になったときにオンするスイッチＳＷｐｇ２が、分割点Ｐｇ２と階調電圧線Ｋ２との間に設けられている。
【００６１】
また、Ｂの画素の明るさを設定すべく、中間の階調値「２」が入力され、その後、選択信号ＳＢが高電圧になり、インバータＩＶＢ１の出力が低電圧になったときにオンするスイッチＳＷｐｂ２が、分割点Ｐｂ２と階調電圧線Ｋ２との間に設けられている。
【００６２】
また、信号線駆動回路１では、Ｒの画素の明るさを設定すべく、中間の階調値「３」が入力され、その後、選択信号ＳＲが高電圧になり、インバータＩＶＲ１の出力が低電圧になったときにオンするスイッチＳＷｐｒ３が、分割点Ｐｒ３と階調電圧線Ｋ３との間に設けられている。
【００６３】
また、Ｇの画素の明るさを設定すべく、中間の階調値「３」が入力され、その後、選択信号ＳＧが高電圧になり、インバータＩＶＧ１の出力が低電圧になったときにオンするスイッチＳＷｐｇ３が、分割点Ｐｇ３と階調電圧線Ｋ３との間に設けられている。
【００６４】
また、Ｂの画素の明るさを設定すべく、中間の階調値「３」が入力され、その後、選択信号ＳＢが高電圧になり、インバータＩＶＢ１の出力が低電圧になったときにオンするスイッチＳＷｐｂ３が、分割点Ｐｂ３と階調電圧線Ｋ３との間に設けられている。
【００６５】
また、図示省略しているが、同様にして、他の中間の階調値「４」、…、「６３」が入力されたときにオンするスイッチが設けられている。
【００６６】
次に、信号線に階調電圧線を接続する第３の回路における信号線側の回路について説明する。
【００６７】
信号線駆動回路１では、選択信号ＳＲが高電圧になり、インバータＩＶＲ２の出力が低電圧になったときにオンするスイッチＳＷｒ１が、回路節点Ｑ１と信号線ＸＲ１との間に設けられている。
【００６８】
また、選択信号ＳＧが高電圧になり、インバータＩＶＧ２の出力が低電圧になったときにオンするスイッチＳＷｇ１が、回路節点Ｑ１と信号線ＸＧ１との間に設けられている。
【００６９】
また、選択信号ＳＢが高電圧になり、インバータＩＶＢ２の出力が低電圧になったときにオンするスイッチＳＷｂ１が、回路節点Ｑ１と信号線ＸＢ１との間に設けられている。
【００７０】
また、信号線駆動回路１では、選択信号ＳＲが高電圧になり、インバータＩＶＲ２の出力が低電圧になったときにオンするスイッチＳＷｒ２が、回路節点Ｑ２と信号線ＸＲ２との間に設けられている。
【００７１】
また、選択信号ＳＧが高電圧になり、インバータＩＶＧ２の出力が低電圧になったときにオンするスイッチＳＷｇ２が、回路節点Ｑ２と信号線ＸＧ２との間に設けられている。
【００７２】
また、選択信号ＳＢが高電圧になり、インバータＩＶＢ２の出力が低電圧になったときにオンするスイッチＳＷｂ２が、回路節点Ｑ２と信号線ＸＢ２との間に設けられている。
【００７３】
また、図示省略しているが、同様にして、他の信号線についてもスイッチが設けられている。
【００７４】
次に、第３の回路における階調電圧線側の回路について説明する。
【００７５】
信号線駆動回路１では、行方向に一列で並ぶＲの画素の中の、信号線ＸＲ１に接続された画素の明るさを設定するために階調値が入力され、階調選択線Ｄ１、Ｄ２、…、Ｄ６の電圧の高低による組み合わせが、その階調値に応じたものとなったときに、その電圧をサンプリングすることで、その階調値を検出して記憶し、また、行方向に一列で並ぶＧの画素の中の、信号線ＸＧ１に接続された画素の明るさを設定するために階調値が入力され、階調選択線Ｄ１、Ｄ２、…、Ｄ６の電圧の高低による組み合わせが、その階調値に応じたものとなったときに、その電圧をサンプリングすることで、その階調値を検出して記憶し、また、行方向に一列で並ぶＢの画素の中の、信号線ＸＢ１に接続された画素の明るさを設定するために階調値が入力され、階調選択線Ｄ１、Ｄ２、…、Ｄ６の電圧の高低による組み合わせが、その階調値に応じたものとなったときに、その電圧をサンプリングすることで、その階調値を検出して記憶し、出力する６信号の電圧の高低による組み合わせを、記憶した階調値に応じたものとするサンプリングラッチ回路ＳＲ１が設けられている。
【００７６】
また、信号線駆動回路１では、サンプリングラッチ回路ＳＲ１からの６信号が入力される６個のインバータからなるインバータ群ＩＧ１（図１では、インバータ３個のみを示す）が設けられる。
【００７７】
また、信号線駆動回路１では、直列接続された６個のスイッチからなるスイッチ群であって、サンプリングラッチ回路ＳＲ１とインバータ群ＩＧ１に対し、階調値「１」のときに全てのスイッチがオンするように配線されたスイッチ群ＳＷＧ１０１（図１では、スイッチ３個のみを示す）が、全スイッチのオンにより階調電圧線Ｋ１と回路節点Ｑ１を接続するように設けられている。
【００７８】
また、直列接続された６個のスイッチからなるスイッチ群であって、サンプリングラッチ回路ＳＲ１とインバータ群ＩＧ１に対し、階調値「２」のときに全てのスイッチがオンするように配線されたスイッチ群ＳＷＧ１０２（図１では、スイッチ３個のみを示す）が、全スイッチのオンにより階調電圧線Ｋ２と回路節点Ｑ１を接続するように設けられている。
【００７９】
また、同様にして、他の階調電圧線と回路節点Ｑ１との間にもスイッチ群が設けられている。
【００８０】
また、信号線駆動回路１では、行方向に一列で並ぶＲの画素の中の、信号線ＸＲ２に接続された画素の明るさを設定するために階調値が入力され、階調選択線Ｄ１、Ｄ２、…、Ｄ６の電圧の高低による組み合わせが、その階調値に応じたものとなったときに、その電圧をサンプリングすることで、その階調値を検出して記憶し、また、行方向に一列で並ぶＧの画素の中の、信号線ＸＧ１に接続された画素の明るさを設定するために階調値が入力され、階調選択線Ｄ１、Ｄ２、…、Ｄ６の電圧の高低による組み合わせが、その階調値に応じたものとなったときに、その電圧をサンプリングすることで、その階調値を検出して記憶し、また、行方向に一列で並ぶＢの画素の中の、信号線ＸＢ１に接続された画素の明るさを設定するために階調値が入力され、階調選択線Ｄ１、Ｄ２、…、Ｄ６の電圧の高低による組み合わせが、その階調値に応じたものとなったときに、その電圧をサンプリングすることで、その階調値を検出して記憶し、出力する６信号の電圧の高低による組み合わせを、記憶した階調値に応じたものとするサンプリングラッチ回路ＳＲ２が設けられている。
【００８１】
また、信号線駆動回路１では、サンプリングラッチ回路ＳＲ２からの６信号が入力される６個のインバータからなるインバータ群ＩＧ２（図１では、インバータ３個のみを示す）が設けられる。
【００８２】
また、信号線駆動回路１では、直列接続された６個のスイッチからなるスイッチ群であって、サンプリングラッチ回路ＳＲ２とインバータ群ＩＧ２に対し、階調値「１」のときに全てのスイッチがオンするように配線されたスイッチ群ＳＷＧ２０１（図１では、スイッチ３個のみを示す）が、全スイッチのオンにより階調電圧線Ｋ１と回路節点Ｑ２を接続するように設けられている。
【００８３】
また、直列接続された６個のスイッチからなるスイッチ群であって、サンプリングラッチ回路ＳＲ２とインバータ群ＩＧ２に対し、階調値「２」のときに全てのスイッチがオンするように配線されたスイッチ群ＳＷＧ２０２（図１では、スイッチ３個のみを示す）が、全スイッチのオンにより階調電圧線Ｋ２と回路節点Ｑ２を接続するように設けられている。
【００８４】
また、図示省略しているが、同様にして、他の階調電圧線と回路節点Ｑ２との間にもスイッチ群が設けられている。
【００８５】
また、図示省略しているが、同様にして、他の回路節点についてもスイッチ群が設けられている。
【００８６】
（信号線駆動回路１の動作）
次に、信号線駆動回路１が構成された基板における各画素につき、その明るさを設定するための階調値が入力されたときの動作を説明する。ここでは、ある行の中の、信号線ＸＲ１に接続された画素（画素ＧＲ１という）の明るさを設定するための階調値が「２」であり、同じ行の、信号線ＸＧ１に接続された画素（画素ＧＧ１という）の明るさを設定するための階調値が「２」であり、同じ行の、信号線ＸＢ１に接続された画素（画素ＧＢ１という）の明るさを設定するための階調値が「２」であったこととする。
【００８７】
まず、階調選択線Ｄ１、Ｄ２、…、Ｄ６の電圧の高低による組み合わせが、画素ＧＲ１の明るさを設定するための階調値「２」に応じたものとなり、このとき、サンプリングラッチ回路ＳＲ１は、その電圧をサンプリングすることで、その階調値「２」を検出して記憶する。
【００８８】
次に、階調選択線Ｄ１、Ｄ２、…、Ｄ６の電圧の高低による組み合わせが、画素ＧＧ１の明るさを設定するための階調値「２」に応じたものとなり、このとき、サンプリングラッチ回路ＳＲ１は、その電圧をサンプリングすることで、その階調値「２」を検出して記憶する。
【００８９】
次に、階調選択線Ｄ１、Ｄ２、…、Ｄ６の電圧の高低による組み合わせが、画素ＧＢ１の明るさを設定するための階調値「２」に応じたものとなり、このとき、サンプリングラッチ回路ＳＲ１は、その電圧をサンプリングすることで、その階調値「２」を検出して記憶する。
【００９０】
同様に、同じ行の他の画素の明るさを設定するための階調値が記憶される。
【００９１】
その後、同じ行の画素の明るさを設定する際には、まず、選択信号ＳＲが高電圧となる。
【００９２】
選択信号ＳＲが高電圧となることにより、スイッチＳＷｐｒ２、ＳＷｐｒ３、…がオンする。これにより、階調電圧線Ｋ２、Ｋ３、…に対し、電圧ＶＰｒ２、ＶＰｒ３、…が印加される。
【００９３】
また、選択信号ＳＲが高電圧となることにより、スイッチＳＷｒ１がオンする。これにより、回路節点Ｑ１と信号線ＸＲ１とが接続される。
【００９４】
また、選択信号ＳＲが高電圧となることにより、サンプリングラッチ回路ＳＲ１は、出力する各信号の電圧の高低による組み合わせを、画素ＧＲ１の明るさを設定するために記憶した階調値「２」に応じたものとする。これにより、回路節点Ｑ１に接続されたスイッチ群の中では、階調値「２」に対応するスイッチ群だけで、その全てのスイッチがオンする。これにより、階調電圧線Ｋ２と回路節点Ｑ１とが接続される。
【００９５】
その結果、信号線ＸＲ１に電圧ＶＰｒ２が印加され、画素ＧＲ１が電圧ＶＰｒ２に応じた明るさとなる。同じ行における他のＲの画素でも同様に明るさが設定される。
【００９６】
次に、選択信号ＳＧが高電圧となる。
【００９７】
選択信号ＳＧが高電圧となることにより、スイッチＳＷｐｇ２、ＳＷｐｇ３、…がオンする。これにより、階調電圧線Ｋ２、Ｋ３、…に対し、電圧ＶＰｇ２、ＶＰｇ３、…が印加される。
【００９８】
また、選択信号ＳＧが高電圧となることにより、スイッチＳＷｇ１がオンする。これにより、回路節点Ｑ１と信号線ＸＧ１とが接続される。
【００９９】
また、選択信号ＳＧが高電圧となることにより、サンプリングラッチ回路ＳＲ１は、出力する各信号の電圧の高低による組み合わせを、画素ＧＧ１の明るさを設定するために記憶した階調値「２」に応じたものとする。これにより、回路節点Ｑ１に接続されたスイッチ群の中では、階調値「２」に対応するスイッチ群だけで、その全てのスイッチがオンする。これにより、階調電圧線Ｋ２と回路節点Ｑ１とが接続される。
【０１００】
その結果、信号線ＸＧ１に電圧ＶＰｇ２（＜ＶＰｒ２）が印加され、画素ＧＧ１が電圧ＶＰｇ２に応じた明るさとなる。同じ行における他のＧの画素でも同様に明るさが設定される。
【０１０１】
次に、選択信号ＳＢが高電圧となる。
【０１０２】
選択信号ＳＢが高電圧となることにより、スイッチＳＷｐｂ２、ＳＷｐｂ３、…がオンする。これにより、階調電圧線Ｋ２、Ｋ３、…に対し、電圧ＶＰｂ２、ＶＰｂ３、…が印加される。
【０１０３】
また、選択信号ＳＢが高電圧となることにより、スイッチＳＷｂ１がオンする。これにより、回路節点Ｑ１と信号線ＸＢ１とが接続される。
【０１０４】
また、選択信号ＳＢが高電圧となることにより、サンプリングラッチ回路ＳＲ１は、出力する各信号の電圧の高低による組み合わせを、画素ＧＢ１の明るさを設定するために記憶した階調値「２」に応じたものとする。これにより、回路節点Ｑ１に接続されたスイッチ群の中では、階調値「２」に対応するスイッチ群だけで、その全てのスイッチがオンする。これにより、階調電圧線Ｋ２と回路節点Ｑ１とが接続される。
【０１０５】
その結果、信号線ＸＢ１に電圧ＶＰｂ２（＜ＶＰｇ２）が印加され、画素ＧＢ１が電圧ＶＰｂ２に応じた明るさとなる。同じ行における他のＢの画素でも同様に明るさが設定される。
【０１０６】
同様にして、異なるタイミングにおいて、他の行の画素の明るさが設定される。
【０１０７】
まとめれば、信号線駆動回路１は、基板つまりＲ、ＧおよびＢの画素を１づつ行方向に並べたものがマトリクス状に配置され、列方向で１列に並ぶＲの画素による列に接続された信号線が列数分形成され、列方向で１列に並ぶＧの画素による列に接続された信号線が列数分形成され、列方向で１列に並ぶＢの画素による列に接続された信号線が列数分形成され、各画素が該画素に接続された信号線の電圧に応じた明るさになるように構成される。
【０１０８】
そして、信号線駆動回路１は、当該基板に入力される階調値のとりうる複数の値のそれぞれに対応する階調電圧線と、１つの階調値と１つの色による組のそれぞれについての電圧が設定された第１の回路（抵抗素子Ｒ）を備える。
【０１０９】
また、信号線駆動回路１は、画素の色でタイミングを変えて明るさを順次に設定するときの各設定タイミングにおいて、各階調電圧線に対し、対応する階調値と当該設定タイミングにおいて明るさを設定される画素の色の組についての電圧が設定された回路節点を接続する第２の回路（インバータＩＶＲ１、ＩＶＧ１およびＩＶＢ１、スイッチＳＷｐｒ２、ＳＷｐｇ２、ＳＷｐｂ２、ＳＷｐｒ３、ＳＷｐｇ３、ＳＷｐｂ３などを備えた回路）を備える。
【０１１０】
また、信号線駆動回路１は、各設定タイミングにおいて、当該設定タイミングで明るさを設定される画素に接続された信号線に対し、当該設定タイミングで当該画素の明るさを設定するための階調値に対応する階調電圧線を接続する第３の回路（インバータＩＶＲ２、ＩＶＧ２およびＩＶＢ２、スイッチＳＷｒ１、ＳＷｇ１、ＳＷｂ１、ＳＷｒ２、ＳＷｇ２、ＳＷｂ２など、サンプリングラッチ回路ＳＲ１、ＳＲ２など、インバータ群ＩＧ１、ＩＧ２など、スイッチ群ＳＷＧ１０１、ＳＷＧ１０２など、スイッチ群ＳＷＧ２０１、ＳＷＧ２０２などを備えた回路）を備える。
【０１１１】
また、第１の回路は、Ｒ、ＧおよびＢに共通な抵抗素子Ｒに電圧が印加されたときの抵抗値の分割点（Ｐｒ２など）の電圧が、階調値と色の組についての電圧となっている回路である。
【０１１２】
また、第２の回路は、各階調電圧線につき、対応する階調値とＲの色の組についての電圧が設定された回路節点と階調電圧線との間のスイッチ（スイッチＳＷｐｒ２など）、当該階調値とＧの色の組についての電圧が設定された回路節点と階調電圧線との間のスイッチ（スイッチＳＷｐｇ２など）、ならびに、当該階調値とＢの色の組についての電圧が設定された回路節点と階調電圧線との間のスイッチ（スイッチＳＷｐｂ２など）を備え、画素の色でタイミングを変えて明るさを順次に設定するときの各設定タイミングにおいて、各階調電圧線につき、対応する階調値ならびに当該設定タイミングで明るさを設定される画素の色の組についての電圧が設定された回路節点と階調電圧線との間のスイッチをオンする。
【０１１３】
また、第３の回路は、Ｒの画素の１列、Ｇの画素の１列およびＢの画素の１列からなる画素群のそれぞれにつき、画素群内の画素へ明るさを設定するための共通の回路節点（回路節点Ｑ１など）とＲの列に接続された信号線（信号線ＸＲ１など）との間のスイッチ（スイッチＳＷｒ１など）、当該共通の回路節点（回路節点Ｑ１など）とＧの列に接続された信号線（信号線ＸＧ１など）との間のスイッチ（スイッチＳＷｇ１など）、ならびに、当該共通の回路節点（回路節点Ｑ１など）とＢの列に接続された信号線（信号線ＸＢ１など）との間のスイッチ（スイッチＳＷｂ１など）を備える。
【０１１４】
さらに、第３の回路は、１つの共通の回路節点と１つの階調電圧線の組のそれぞれにつき、共通の回路節点と階調電圧線との間のスイッチ（スイッチ群ＳＷＧ１０１など）を備える。
【０１１５】
そして、画素の色でタイミングを変えて明るさを順次に設定するときの各設定タイミングにおいて、画素群のそれぞれにつき、画素群内の画素へ明るさを設定するための共通の回路節点（回路節点Ｑ１など）と当該設定タイミングで明るさを設定される画素（画素ＧＲ１など）に接続された信号線（信号線ＸＲ１）との間のスイッチ（スイッチＳＷｒ１など）をオンする。
【０１１６】
また、当該各設定タイミングにおいて、共通の回路節点のそれぞれにつき、共通の回路節点（回路節点Ｑ１など）により当該設定タイミングで明るさを設定される画素（画素ＧＲ１など）へ明るさを設定するための階調値に対応する階調電圧線（階調電圧線Ｋ２など）と当該共通の回路節点との間のスイッチ（スイッチ群ＳＷＧ１０１など）をオンする。
【０１１７】
また、共通の回路節点と階調電圧線との間のスイッチは、複数のスイッチを直列接続したもの（スイッチ群ＳＷＧ１０１など）であり、当該複数のスイッチへの制御信号（サンプリングラッチ回路ＳＲ１などの出力信号）の電圧の高低による組み合わせが、対応する階調値に応じたものとなったときに当該複数のスイッチの全てがオンする。
【０１１８】
したがって、信号線駆動回路１によれば、階調値が同じ「２」であっても、Ｒの画素ＧＲ１は電圧ＶＰｒ２に応じた明るさとし、Ｇの画素ＧＧ１は電圧ＶＰｇ２（＜ＶＰｒ２）に応じた明るさとし、Ｂの画素ＧＢ１は電圧ＶＰｂ２（＜ＶＰｇ２）に応じた明るさとする、つまり、ＲＧＢ独立にγ補正を行うことができる。しかも、そのための階調電圧線の必要数を１９２本から６４本、つまり１／３にできるから、回路面積を低減することができる。また、共通な抵抗素子に電圧を設定していて、抵抗素子の必要数が１／３であるから、回路面積および抵抗での消費電流を低減することができる。
【０１１９】
［第２の実施の形態］
図２は、本発明の第２の実施の形態に係る信号線駆動回路の回路図である。
【０１２０】
本実施の形態の信号線駆動回路（以下、信号線駆動回路２という）は、信号線駆動回路１と同様に構成され、ここでは、同一の構成要素に同一符号を付し、重複説明を省略する。
【０１２１】
信号線駆動回路２では、信号線ＸＲ１、ＸＧ１およびＸＢ１などに接続された画素のへの明るさの設定時において高電圧に設定され、信号線ＸＲ２、ＸＧ２およびＸＢ２などに接続された画素のへの明るさの設定時において低電圧に設定される選択信号Ｓが用いられる。
【０１２２】
信号線駆動回路２は、選択信号Ｓが入力されるインバータＩＶを備える。
【０１２３】
信号線駆動回路２では、選択信号Ｓが高電圧になり、インバータＩＶの出力が低電圧になったときにオンするスイッチＳＷ１が、回路節点Ｑ１０１と回路節点Ｑ１との間に設けられている。
【０１２４】
また、選択信号Ｓが低電圧になり、インバータＩＶの出力が高電圧になったときにオンするスイッチＳＷ２が、回路節点Ｑ１０１と回路節点Ｑ２との間に設けられている。
【０１２５】
また、信号線駆動回路２では、選択信号Ｓが高電圧になり、インバータＩＶの出力が低電圧になったときにオンするスイッチＳＷ３が、回路節点Ｑ１０３と回路節点Ｑ３との間に設けられている。
【０１２６】
また、選択信号Ｓが低電圧になり、インバータＩＶの出力が高電圧になったときにオンするスイッチＳＷ４が、回路節点Ｑ１０３と回路節点Ｑ４との間に設けられている。
【０１２７】
また、図示省略しているが、同様にして、他の回路節点間についてもスイッチが設けられている。
【０１２８】
また、スイッチ群ＳＷＧ１０１は、階調電圧線Ｋ１と回路節点Ｑ１の間ではなく、階調電圧線Ｋ１と回路節点Ｑ２０１を接続するように設けられている。
【０１２９】
また、スイッチ群ＳＷＧ１０２は、階調電圧線Ｋ２と回路節点Ｑ１の間ではなく、階調電圧線Ｋ２と回路節点Ｑ２０１を接続するように設けられている。
【０１３０】
また、同様にして、他の階調電圧線と回路節点Ｑ２０１との間にもスイッチ群が設けられている。
【０１３１】
また、スイッチ群ＳＷＧ２０１は、階調電圧線Ｋ１と回路節点Ｑ２の間ではなく、階調電圧線Ｋ１と回路節点Ｑ２０３を接続するように設けられている。
【０１３２】
また、スイッチ群ＳＷＧ２０２は、階調電圧線Ｋ２と回路節点Ｑ２の間ではなく、階調電圧線Ｋ２と回路節点Ｑ２０３を接続するように設けられている。
【０１３３】
また、同様にして、他の階調電圧線と回路節点Ｑ２０３との間にもスイッチ群が設けられている。
【０１３４】
また、図示省略しているが、同様にして、他の回路節点についてもスイッチ群が設けられている。
【０１３５】
また、信号線駆動回路２では、回路節点Ｑ２０１の信号を増幅して回路節点Ｑ１０１に出力するアンプＡＭＰ１が設けられている。
【０１３６】
また、回路節点Ｑ２０３の信号を増幅して回路節点Ｑ１０３に出力するアンプＡＭＰ２が設けられている。
【０１３７】
また、図示省略しているが、同様にして、他の回路節点間にもアンプが設けられている。
【０１３８】
（信号線駆動回路２の動作）
次に、信号線駆動回路２が構成された基板における各画素につき、その明るさを設定するための階調値が入力されたときの動作を説明する。ここでは、ある行の中の、信号線ＸＲ１に接続された画素（画素ＧＲ１という）の明るさを設定するための階調値が「２」であり、同じ行の、信号線ＸＧ１に接続された画素（画素ＧＧ１という）の明るさを設定するための階調値が「２」であり、同じ行の、信号線ＸＢ１に接続された画素（画素ＧＢ１という）の明るさを設定するための階調値が「２」であったこととする。
【０１３９】
また、同じ行の中の、信号線ＸＲ２に接続された画素（画素ＧＲ２という）の明るさを設定するための階調値が「３」であり、同じ行の、信号線ＸＧ２に接続された画素（画素ＧＧ２という）の明るさを設定するための階調値が「３」であり、同じ行の、信号線ＸＢ２に接続された画素（画素ＧＢ２という）の明るさを設定するための階調値が「３」であったこととする。
【０１４０】
まず、階調選択線Ｄ１、Ｄ２、…、Ｄ６の電圧の高低による組み合わせが、画素ＧＲ１の明るさを設定するための階調値「２」に応じたものとなり、このとき、サンプリングラッチ回路ＳＲ１は、その電圧をサンプリングすることで、その階調値「２」を検出して記憶する。
【０１４１】
次に、階調選択線Ｄ１、Ｄ２、…、Ｄ６の電圧の高低による組み合わせが、画素ＧＧ１の明るさを設定するための階調値「２」に応じたものとなり、このとき、サンプリングラッチ回路ＳＲ１は、その電圧をサンプリングすることで、その階調値「２」を検出して記憶する。
【０１４２】
次に、階調選択線Ｄ１、Ｄ２、…、Ｄ６の電圧の高低による組み合わせが、画素ＧＢ１の明るさを設定するための階調値「２」に応じたものとなり、このとき、サンプリングラッチ回路ＳＲ１は、その電圧をサンプリングすることで、その階調値「２」を検出して記憶する。
【０１４３】
次に、階調選択線Ｄ１、Ｄ２、…、Ｄ６の電圧の高低による組み合わせが、画素ＧＲ２の明るさを設定するための階調値「２」に応じたものとなり、このとき、サンプリングラッチ回路ＳＲ１は、その電圧をサンプリングすることで、その階調値「２」を検出して記憶する。
【０１４４】
次に、階調選択線Ｄ１、Ｄ２、…、Ｄ６の電圧の高低による組み合わせが、画素ＧＧ２の明るさを設定するための階調値「２」に応じたものとなり、このとき、サンプリングラッチ回路ＳＲ１は、その電圧をサンプリングすることで、その階調値「２」を検出して記憶する。
【０１４５】
次に、階調選択線Ｄ１、Ｄ２、…、Ｄ６の電圧の高低による組み合わせが、画素ＧＢ２の明るさを設定するための階調値「２」に応じたものとなり、このとき、サンプリングラッチ回路ＳＲ１は、その電圧をサンプリングすることで、その階調値「２」を検出して記憶する。
【０１４６】
同様に、同じ行の他の画素の明るさを設定するための階調値が記憶される。
【０１４７】
その後、同じ行の画素の明るさを設定する際には、まず、選択信号ＳＲと選択信号Ｓが高電圧となる。
【０１４８】
選択信号ＳＲが高電圧となることにより、スイッチＳＷｐｒ２、ＳＷｐｒ３、…がオンする。これにより、階調電圧線Ｋ２、Ｋ３、…に対し、電圧ＶＰｒ２、ＶＰｒ３、…が印加される。
【０１４９】
また、選択信号ＳＲが高電圧となることにより、スイッチＳＷｒ１がオンする。これにより、回路節点Ｑ１と信号線ＸＲ１とが接続される。
【０１５０】
また、選択信号ＳＲと選択信号Ｓが高電圧となることにより、サンプリングラッチ回路ＳＲ１は、出力する各信号の電圧の高低による組み合わせを、画素ＧＲ１の明るさを設定するために記憶した階調値「２」に応じたものとする。これにより、回路節点Ｑ２０１に接続されたスイッチ群の中では、階調値「２」に対応するスイッチ群だけで、その全てのスイッチがオンする。これにより、階調電圧線Ｋ２と回路節点Ｑ２０１とが接続される。
【０１５１】
また、選択信号Ｓが高電圧になることにより、スイッチＳＷ１がオンする。これにより、回路節点Ｑ１０１と回路節点Ｑ１とが接続される。
【０１５２】
その結果、信号線ＸＲ１に電圧ＶＰｒ２が印加され、その際には、アンプＡＭＰ１で信号増幅がなされ、画素ＧＲ１が電圧ＶＰｒ２に応じた明るさとなる。同じ行において他の信号線ＸＲ３などに接続されたＲの画素でも同様に明るさが設定される。
【０１５３】
次に、選択信号ＳＲが高電圧となり、選択信号Ｓが低電圧となる。
【０１５４】
選択信号ＳＲが高電圧となることにより、スイッチＳＷｐｒ２、ＳＷｐｒ３、…がオンする。これにより、階調電圧線Ｋ２、Ｋ３、…に対し、電圧ＶＰｒ２、ＶＰｒ３、…が印加される。
【０１５５】
また、選択信号ＳＲが高電圧となることにより、スイッチＳＷｒ２がオンする。これにより、回路節点Ｑ２と信号線ＸＲ２とが接続される。
【０１５６】
また、選択信号ＳＲが高電圧となり、選択信号Ｓが低電圧となることにより、サンプリングラッチ回路ＳＲ１は、出力する各信号の電圧の高低による組み合わせを、画素ＧＲ２の明るさを設定するために記憶した階調値「３」に応じたものとする。これにより、回路節点Ｑ２０１に接続されたスイッチ群の中では、階調値「３」に対応するスイッチ群だけで、その全てのスイッチがオンする。これにより、階調電圧線Ｋ３と回路節点Ｑ２０１とが接続される。
【０１５７】
また、選択信号Ｓが低電圧になることにより、スイッチＳＷ２がオンする。これにより、回路節点Ｑ１０１と回路節点Ｑ２とが接続される。
【０１５８】
その結果、信号線ＸＲ２に電圧ＶＰｒ３が印加され、その際には、アンプＡＭＰ１で信号増幅がなされ、画素ＧＲ２が電圧ＶＰｒ３に応じた明るさとなる。同じ行において他の信号線ＸＲ４などに接続されたＲの画素でも同様に明るさが設定される。
【０１５９】
次に、選択信号ＳＧと選択信号Ｓが高電圧となる。
【０１６０】
選択信号ＳＧが高電圧となることにより、スイッチＳＷｐｇ２、ＳＷｐｇ３、…がオンする。これにより、階調電圧線Ｋ２、Ｋ３、…に対し、電圧ＶＰｇ２、ＶＰｇ３、…が印加される。
【０１６１】
また、選択信号ＳＧが高電圧となることにより、スイッチＳＷｇ１がオンする。これにより、回路節点Ｑ１と信号線ＸＧ１とが接続される。
【０１６２】
また、選択信号ＳＧと選択信号Ｓが高電圧となることにより、サンプリングラッチ回路ＳＲ１は、出力する各信号の電圧の高低による組み合わせを、画素ＧＧ１の明るさを設定するために記憶した階調値「２」に応じたものとする。これにより、回路節点Ｑ２０１に接続されたスイッチ群の中では、階調値「２」に対応するスイッチ群だけで、その全てのスイッチがオンする。これにより、階調電圧線Ｋ２と回路節点Ｑ２０１とが接続される。
【０１６３】
また、選択信号Ｓが高電圧になることにより、スイッチＳＷ１がオンする。これにより、回路節点Ｑ１０１と回路節点Ｑ１とが接続される。
【０１６４】
その結果、信号線ＸＧ１に電圧ＶＰｇ２（＜ＶＰｒ２）が印加され、その際には、アンプＡＭＰ１で信号増幅がなされ、画素ＧＧ１が電圧ＶＰｇ２に応じた明るさとなる。同じ行において他の信号線ＸＧ３などに接続されたＧの画素でも同様に明るさが設定される。
【０１６５】
次に、選択信号ＳＧが高電圧となり、選択信号Ｓが低電圧となる。
【０１６６】
選択信号Ｓが高電圧となることにより、スイッチＳＷｐｇ２、ＳＷｐｇ３、…がオンする。これにより、階調電圧線Ｋ２、Ｋ３、…に対し、電圧ＶＰｇ２、ＶＰｇ３、…が印加される。
【０１６７】
また、選択信号ＳＧが高電圧となることにより、スイッチＳＷｇ２がオンする。これにより、回路節点Ｑ２と信号線ＸＧ２とが接続される。
【０１６８】
また、選択信号ＳＧが高電圧となり、選択信号Ｓが低電圧となることにより、サンプリングラッチ回路ＳＲ１は、出力する各信号の電圧の高低による組み合わせを、画素ＧＧ２の明るさを設定するために記憶した階調値「３」に応じたものとする。これにより、回路節点Ｑ２０１に接続されたスイッチ群の中では、階調値「３」に対応するスイッチ群だけで、その全てのスイッチがオンする。これにより、階調電圧線Ｋ３と回路節点Ｑ２０１とが接続される。
【０１６９】
また、選択信号Ｓが低電圧になることにより、スイッチＳＷ２がオンする。これにより、回路節点Ｑ１０１と回路節点Ｑ２とが接続される。
【０１７０】
その結果、信号線ＸＧ２に電圧ＶＰｇ３（＜ＶＰｒ３）が印加され、その際には、アンプＡＭＰ１で信号増幅がなされ、画素ＧＧ２が電圧ＶＰｇ３に応じた明るさとなる。同じ行において他の信号線ＸＧ４などに接続されたＧの画素でも同様に明るさが設定される。
【０１７１】
次に、選択信号ＳＢと選択信号Ｓが高電圧となる。
【０１７２】
選択信号ＳＢが高電圧となることにより、スイッチＳＷｐｂ２、ＳＷｐｂ３、…がオンする。これにより、階調電圧線Ｋ２、Ｋ３、…に対し、電圧ＶＰｂ２、ＶＰｂ３、…が印加される。
【０１７３】
また、選択信号ＳＢが高電圧となることにより、スイッチＳＷｂ１がオンする。これにより、回路節点Ｑ１と信号線ＸＢ１とが接続される。
【０１７４】
また、選択信号ＳＢと選択信号Ｓが高電圧となることにより、サンプリングラッチ回路ＳＲ１は、出力する各信号の電圧の高低による組み合わせを、画素ＧＢ１の明るさを設定するために記憶した階調値「２」に応じたものとする。これにより、回路節点Ｑ２０１に接続されたスイッチ群の中では、階調値「２」に対応するスイッチ群だけで、その全てのスイッチがオンする。これにより、階調電圧線Ｋ２と回路節点Ｑ２０１とが接続される。
【０１７５】
また、選択信号Ｓが高電圧になることにより、スイッチＳＷ１がオンする。これにより、回路節点Ｑ１０１と回路節点Ｑ１とが接続される。
【０１７６】
その結果、信号線ＸＢ１に電圧ＶＰｂ２（＜ＶＰｇ２）が印加され、その際には、アンプＡＭＰ１で信号増幅がなされ、画素ＧＢ１が電圧ＶＰｂ２に応じた明るさとなる。同じ行において他の信号線ＸＢ３などに接続されたＢの画素でも同様に明るさが設定される。
【０１７７】
次に、選択信号ＳＢが高電圧となり、選択信号Ｓが低電圧となる。
【０１７８】
選択信号Ｓが高電圧となることにより、スイッチＳＷｐｂ２、ＳＷｐｂ３、…がオンする。これにより、階調電圧線Ｋ２、Ｋ３、…に対し、電圧ＶＰｂ２、ＶＰｂ３、…が印加される。
【０１７９】
また、選択信号ＳＢが高電圧となることにより、スイッチＳＷｂ２がオンする。これにより、回路節点Ｑ２と信号線ＸＢ２とが接続される。
【０１８０】
また、選択信号ＳＢが高電圧となり、選択信号Ｓが低電圧となることにより、サンプリングラッチ回路ＳＲ１は、出力する各信号の電圧の高低による組み合わせを、画素ＧＢ２の明るさを設定するために記憶した階調値「３」に応じたものとする。これにより、回路節点Ｑ２０１に接続されたスイッチ群の中では、階調値「３」に対応するスイッチ群だけで、その全てのスイッチがオンする。これにより、階調電圧線Ｋ３と回路節点Ｑ２０１とが接続される。
【０１８１】
また、選択信号Ｓが低電圧になることにより、スイッチＳＷ２がオンする。これにより、回路節点Ｑ１０１と回路節点Ｑ２とが接続される。
【０１８２】
その結果、信号線ＸＢ２に電圧ＶＰｂ３（＜ＶＰｇ３）が印加され、その際には、アンプＡＭＰ１で信号増幅がなされ、画素ＧＢ２が電圧ＶＰｂ３に応じた明るさとなる。同じ行において他の信号線ＸＢ４などに接続されたＢの画素でも同様に明るさが設定される。
【０１８３】
まとめると、信号線駆動回路２は、信号線駆動回路１と同様に、第１、２、３の回路を備える。
【０１８４】
第３の回路は、Ｒの画素の１列、Ｇの画素の１列およびＢの画素の１列からなる画素群のそれぞれにつき、画素群内の画素へ明るさを設定するための共通の回路節点（回路節点Ｑ１など）とＲの列に接続された信号線（信号線ＸＲ１など）との間のスイッチ（スイッチＳＷｒ１など）、当該共通の回路節点（回路節点Ｑ１など）とＧの列に接続された信号線（信号線ＸＧ１など）との間のスイッチ（スイッチＳＷｇ１など）、ならびに、当該共通の回路節点（回路節点Ｑ１など）とＢの列に接続された信号線（信号線ＸＢ１など）との間のスイッチ（スイッチＳＷｂ１など）を備える。
【０１８５】
さらに、第３の回路は、隣り合う２つの画素群の組のそれぞれにつき、組内の画素へ明るさを設定するための共通の回路節点（回路節点Ｑ１０１など）と一方の画素群内の画素へ明るさを設定するための共通の回路節点（回路節点Ｑ１など）との間のスイッチ（スイッチＳＷ１など）、ならびに、組内の画素へ明るさを設定するための当該共通の回路節点（回路節点Ｑ１０１など）と他方の画素群内の画素へ明るさを設定するための共通の回路節点（回路節点Ｑ２など）との間のスイッチ（スイッチＳＷ２など）を備える。
【０１８６】
さらに、第３の回路は、隣り合う２つの画素群の組内の画素へ明るさを設定するための共通の回路節点の１つ（回路節点Ｑ１０１など）と１つの階調電圧線との組のそれぞれにつき、共通の回路節点と階調電圧線との間のスイッチ（スイッチ群ＳＷＧ１０１など）を備える。
【０１８７】
そして、画素の色ならびに隣り合う２つの画素群の一方と他方とでタイミングを変えて明るさを順次に設定するときの各設定タイミングにおいて、画素群内の画素へ明るさを設定するための共通の回路節点（回路節点Ｑ１など）のそれぞれにつき、共通の回路節点と当該設定タイミングで明るさを設定される画素の色と同じ色の画素（画素ＧＲ１、ＧＲ２など）に接続された信号線（信号線ＸＲ１、ＸＲ２など）との間のスイッチ（スイッチＳＷｒ１、ＳＷｒ２など）をオンする。
【０１８８】
また、当該各設定タイミングにおいて、当該設定タイミングで明るさを設定される画素（画素ＧＲ１など）を含む画素群内の画素へ明るさを設定するための共通の回路節点（回路節点Ｑ１など）と当該画素群を含む組内の画素へ明るさを設定するための共通の回路節点（回路節点Ｑ１０１など）と間のスイッチ（スイッチＳＷ１など）をオンする。
【０１８９】
また、当該各設定タイミングにおいて、当該設定タイミングで明るさを設定される画素を含む画素群の組内の画素へ明るさを設定するための共通の回路節点（回路節点Ｑ１０１など）と当該設定タイミングで明るさを設定される画素へ明るさを設定するための階調値に対応する階調電圧線との間のスイッチ（スイッチ群ＳＷＧ１０１など）をオンする。
【０１９０】
したがって、信号線駆動回路２によれば、信号線駆動回路１と同様に、γ補正を行うことができ、回路面積および抵抗での消費電流を低減することができる。
【０１９１】
また、信号線駆動回路２によれば、アンプＡＭＰ１などが信号を増幅し、そのため、アンプＡＭＰ１などへの電流が小さくてよいので、階調電圧線Ｋ１、Ｋ２、Ｋ３、…、Ｋ６４を細くすることができ、その結果、回路面積をさらに低減することができる。また、アンプＡＭＰ１などへの電流が小さくてよいので、抵抗素子Ｒの抵抗値を高くすることができ、その結果、消費電流をさらに低減することができる。
【０１９２】
また、信号線駆動回路２によれば、サンプリングラッチ回路ならびにこれにより動作するインバータ群およびスイッチ群の数を半減できるので、回路面積および消費電流をさらに低減することができる。
【０１９３】
なお、第１、第２の実施の形態では、画素を最も明るくする階調値を「１」、最も暗くする階調値を「６４」としたが、画素を最も明るくする階調値を「６４」、最も暗くする階調値を「１」としてもよい。また、このような６４階調ではなく、２５６階調などとしてもよい。また、画素は、Ｒ、Ｇ、Ｂの順で並べるのでなく、これとは異なる順で並べてもよい。
【図面の簡単な説明】
【０１９４】
【図１】第１の実施の形態に係る信号線駆動回路の回路図である。
【図２】抵抗素子Ｒにおける分割点Ｐの定め方を示す図である。
【図３】第２の実施の形態に係る信号線駆動回路の回路図である。
【図４】従来の信号線駆動回路の回路図である。
【符号の説明】
【０１９５】
１、２…信号線駆動回路
ＡＭＰ１、ＡＭＰ２  アンプ
Ｄ１、Ｄ２、…、Ｄ６  階調選択線
ＧＲ１、ＧＲ２、ＧＧ１、ＧＧ２、ＧＢ１、ＧＢ２  画素
ＩＶＲ１、ＩＶＧ１、ＩＶＢ１、ＩＶＲ２、ＩＶＧ２、ＩＶＢ２、ＩＶ…インバータ
ＩＧ１、ＩＧ２  インバータ群
Ｋ１、Ｋ２、Ｋ３、…、Ｋ６４  階調電圧線
Ｐｒ２、Ｐｇ２、Ｐｂ２、Ｐｒ３、Ｐｇ３、Ｐｂ３  分割点
Ｑ１、Ｑ２、Ｑ３、Ｑ４、Ｑ１０１、Ｑ１０３、Ｑ２０１、Ｑ２０３  回路節点
Ｒ  抵抗素子
Ｓ、ＳＲ、ＳＧ、ＳＢ  選択信号
ＳＲ１、ＳＲ２  サンプリングラッチ回路
ＳＷｐｒ２、ＳＷｐｇ２、ＳＷｐｂ２、ＳＷｐｒ３、ＳＷｐｇ３、ＳＷｐｂ３、ＳＷｒ１、ＳＷｇ１、ＳＷｂ１、ＳＷｒ２、ＳＷｇ２、ＳＷｂ２、ＳＷ１、ＳＷ２、ＳＷ３、ＳＷ４  スイッチ
ＳＷＧ１０１、ＳＷＧ１０２、ＳＷＧ２０１、ＳＷＧ２０２  スイッチ群
ＶＰｒ２、ＶＰｇ２、ＶＰｂ２、ＶＰｒ３、ＶＰｇ３、ＶＰｂ３  分割点の電圧
ＸＲ１、ＸＲ２、ＸＲ３、ＸＲ４、ＸＧ１、ＸＧ２、ＸＧ３、ＸＧ４、ＸＢ１、ＸＢ２、ＸＢ３、ＸＢ４  信号線
【図１】
2008003518.tif 000003
【図２】
2008003518.tif 000004
【図３】
2008003518.tif 000005
【図４】
2008003518.tif 000006